(57)【要約】【課題】  ジーンズを提供する。【解決手段】  相互結合して着用者の下半身を受け入れることができる空間を提供する前身頃及び後身頃と、後身頃の上端部に結合する連結身頃と、前身頃と連結身頃との上端部に縫い合わせ、着用者の腰を覆い包むベルト部とからなるジーンズにおいて、後身頃には、後身頃外部に表れる着用者のヒップラインにボリューム感を提供するものであって、後身頃のヒップをカバーする部位の一部を折り重ねて後身頃のヒップをカバーする部位が着用者のヒップラインに対応する曲面を有するようにする一つ以上のダーツ部が備わったことを特徴とする。これにより、従来の平面的な後身頃と異なり、後身頃のヒップに接する部位にダーツ部を適用し、後身頃自体に立体感を有させることによって、着用者のヒップ輪郭ラインが外部に魅力的であってセクシーに表れ、さらにスタイリッシュであってバランスの取れた体型をアピールできる。【選択図】      図４
2009121008.tif 000002
【特許請求の範囲】
【請求項１】
相互結合して着用者の下半身を受け入れることができる空間を提供する前身頃及び後身頃と、前記後身頃の上端部に結合する連結身頃と、前記前身頃と連結身頃との上端部に縫い合わせ、着用者の腰を覆い包むベルト部とからなるジーンズにおいて、
前記後身頃には、
後身頃外部に表れる着用者のヒップラインにボリューム感を提供するものであって、後身頃のヒップをカバーする部位の一部を折り重ねて後身頃のヒップをカバーする部位が着用者のヒップラインに対応する曲面を有するようにする一つ以上のダーツ部が備わったことを特徴とするジーンズ。
【請求項２】
前記ダーツ部は、
前記後身頃の輪郭部の一部を三重に重なるように折りたたんで固定したものであって、重なった部位の後身頃の厚さ方向の形状は、三角形のパターンを取ることを特徴とする請求項１に記載のジーンズ。
【請求項３】
前記後身頃にはポケットがさらに備わり、
前記ダーツ部は、
前記ポケットと連結身頃との間に備わる一つ以上の第１ダーツ部からなることを特徴とする請求項１または請求項２に記載のジーンズ。
【請求項４】
前記ダーツ部は、
前記ポケットの側部に位置する一つ以上の第２ダーツ部をさらに備えることを特徴とする請求項３に記載のジーンズ。
【発明の詳細な説明】
【技術分野】
【０００１】
本発明は、ダーツ部の備わっているジーンズに関する。
【背景技術】
【０００２】
最近、自分自身の気持ちや好みを重要視する生活パターンを有する女性が増えるにつれて、さらに快適なセンスと自分だけのオシャレ心とを満足させうる多様な様式の服が開発されつつアピールしている。かような服は、服の基本機能を果たすと共に、美しくてバランスのとれた姿を見せたがる女性の要望を充足させている。
【０００３】
特に、ジーンズの場合、非常に実用的であり、かつ活動するのに便利であり、さらにセクシーさを演出でき、女性衣類といえば、ジーンズを抜きにして語り得ないほどに、多くの若い女性が愛好して着用している。かようなジーンズにも多種があり、種類による多様なアイテムのコーディネーションがある。
【０００４】
図１は、従来の一般的なジーンズを図示した斜視図である。
図示するように、従来のジーンズ１０は、相互縫い合わせ、着用者の下半身を受け入れることができる空間を有する前身頃１２及び後身頃１６ａ，１６ｂと、前記後身頃１６ａ，１６ｂの上端部にそれぞれ結合する連結身頃１８ａ，１８ｂと、前記前身頃１２の上端部と連結身頃１８ａ，１８ｂとの上端部に固定されるベルト部１４とからなる。
【０００５】
前記連結身頃１８ａ，１８ｂは、台形の布切れであって、後身頃１６ａ，１６ｂとベルト部１４とを繋いでいる。また、ベルト部１４は、着用者の腰を覆い包むものであり、例えば、ベルトにより引き締めてジーンズ１０がずれ落ちないようにする。併せて、前記各後身頃１６ａ，１６ｂのヒップに接する部分には、ポケット２０が備わる。
【０００６】
なお、図中符号２２は、裁縫線である。
【０００７】
図２は、前記図１に図示したジーンズ１０に入る後身頃１６ａ，１６ｂを別途に図示した図面である。
【０００８】
図示するように、前記ジーンズ１０に入る後身頃１６ａ，１６ｂは、ジーンズを製作するデニム（denim）布をサイズに合うように裁断したものであり、広げたときに単純な平面形態を取る。従って、例えば平らなテーブルに広げておけば、全体面がテーブルに密着する。
【０００９】
図３は、従来のジーンズ１０の問題点を説明するために図示した図面である。
基本的に、従来のジーンズ１０は、前記の通り、後身頃１６ａ，１６ｂ自体が単純に平面的な形態を取るので、ヒップアップ（hip-up）機能を考慮して後身頃を裁断したとしても、ジーンズを着用したときに、着用者のヒップ・ボリューム感が十分に表現されえない傾向があった。さらに、場合によっては、後身頃１６ｂがむしろヒップを図３の矢印ａ方向から押しつけ、ヒップがぺったんこに見えるようになるなどの問題があった。
【発明の開示】
【発明が解決しようとする課題】
【００１０】
本発明は、前記問題点を解消すべく案出したものであって、従来の平面的な後身頃のヒップに接する部位にダーツ部を適用し、後身頃自体に立体感を有させることによって、着用者のヒップ輪郭ラインが外部に魅力的であってセクシーに表れ、さらにスタイリッシュであってバランスの取れた体型をアピールできるジーンズを提供するところに目的がある。
【課題を解決するための手段】
【００１１】
前記目的を達成するために本発明は、相互結合して着用者の下半身を受け入れることができる空間を提供する前身頃及び後身頃と、前記後身頃の上端部に結合する連結身頃と、前記前身頃と連結身頃との上端部に縫い合わせ、着用者の腰を覆い包むベルト部とからなるジーンズにおいて、前記後身頃には、後身頃外部に表れる着用者のヒップラインにボリューム感を提供するものであって、後身頃のヒップをカバーする部位の一部を折り重ねて後身頃のヒップをカバーする部位が着用者のヒップラインに対応する曲面を有するようにする一つ以上のダーツ部が備わったことを特徴とする。
【００１２】
また、前記ダーツ部は、前記後身頃の輪郭部の一部を三重に重なるように折りたたんで固定したものであって、重なった部位の後身頃の厚さ方向の形状は、三角形のパターンを取ることを特徴とする。
【００１３】
また、前記後身頃にはポケットがより備わって、前記ダーツ部は、前記ポケットと連結身頃との間に備わる一つ以上の第１ダーツ部からなることを特徴とする。
【００１４】
併せて、前記ダーツ部は、前記ポケットの側部に位置する一つ以上の第２ダーツ部をさらに備えることを特徴とする。
【発明の効果】
【００１５】
本発明によれば、従来の平面的な後身頃と異なり、後身頃のヒップに接する部位にダーツ部を適用し、後身頃自体に立体感を有させることによって、着用者のヒップ輪郭ラインが外部に魅力であってセクシーに表れ、さらにスタイリッシュであってバランスの取れた体型をアピールできる。
【発明を実施するための最良の形態】
【００１６】
以下、本発明による１つの実施例について、添付された図面を参照しつつ、さらに詳細に説明する。
【００１７】
基本的に、本実施例によるジーンズ３０は、ジーンズを構成する後身頃において、ヒップと密着する部分に、単に何ヵ所かのダーツ部を付与することにより、ジーンズ着用者のヒップ輪郭ラインを魅力的であってセクシーに見せられるという見解に基づいている。
【００１８】
さらに、本実施例によるジーンズ３０は、それ自体がヒップを支えて上げ、中心に引き寄せる機能を有し（あたかも、ズボンの内部に体型補正用ガードルを着用したように）、さらにスタイリッシュであってバランスの取れた体型を演出できる。
【００１９】
参考までに、前記ダーツとは、衣類分野や洋裁分野で使用する用語の一つであり、平面的な生地を、例えば立体的な体型に合わせるために、生地の所定部分を長い三角形に折り目を付けて縫い込んだものを意味する。
【００２０】
図４は、本発明の一実施例によるジーンズの一部分解斜視図である。
前記した図面符号と同じ図面符号は、同じ機能の同じ部材を指す。
【００２１】
図面を参照すると、本実施例によるジーンズ３０は、相互結合して着用者の下半身を受け入れることができる空間を提供する前身頃１２及び後身頃３２ａ，３２ｂと、前記後身頃３２ａ，３２ｂの上端部に裁縫され、着用者の腰の下部分を支える連結身頃１８ａ，１８ｂと、前記前身頃１２及び連結身頃１８ａ，１８ｂに結合するベルト部１４とからなる。前記後身頃３２ａ，３２ｂと連結身頃１８ａ，１８ｂとの境界線であるヨーク線３８は、対称をなして左右に延びて前身頃１２と出合う。
【００２２】
一方、前記後身頃３２ａ，３２ｂは、二つが対称をなし、特にヒップに接する部位に、第１ダーツ部３６、第２ダーツ部３４がそれぞれ設けられている。すなわち、一対の後身頃３２ａ，３２ｂのうち、図面上で左側の後身頃３２ａに、それぞれ一つずつの第１ダーツ部３６と第２ダーツ部３４とが備わっており、右側の後身頃３２ｂにも、１つの第１ダーツ部３６と第２ダーツ部３４とが位置しているのである。
【００２３】
特に、前記第２ダーツ部３４は、ポケット２０と前身頃１２との間に位置し、ほぼ横方向に延長された外部形態を取り、第１ダーツ部３６は、ポケット２０とヨーク線３８との間に設けられ、ほぼ縦方向に延長されたパターンを有する。ここで、横方向または縦方向とは、第１ダーツ部３６、第２ダーツ部３４のジーンズ外部に表れる様子を基準に定めたものである。
【００２４】
前記の通り、第１ダーツ部３６と第２ダーツ部３４とが縦横方向に配されるので、第２ダーツ部３４の長手方向に延長した仮想の延長線と、第１ダーツ部３６の長手方向に延長した仮想の延長線は、あるところで交差することになる。
【００２５】
前記仮想の延長線が交差した交差点の位置は、非常に重要な意味を有するものであり、ズボン着用者のヒップにおいて、後方に最も盛り出た地点であるか、またはその地点より若干下部に位置するようにする。こうしてこそ、ジーンズ自体がヒップアップ機能を提供し、さらにそれによってヒップ輪郭ラインが魅力的に演出されるのである。
【００２６】
図５は、前記図４のジーンズ３０に入る後身頃の構成を説明するために図示した図面であり、図６は、完成された第１ダーツ部、２ダーツ部を有する後身頃を裏返しにして図示した斜視図である。図５は、第１ダーツ部、第２ダーツ部を完成する前の状態である。併せて、図５及び図６には、図４に図示した一対の左右側後身頃のうち、右側の後身頃３２ｂのみを例として図示した。
【００２７】
図５を参照すれば、後身頃３２ｂの上端部、すなわち連結身頃１８ｂに接する輪郭部に第１ダーツ部３６が位置し、前身頃１２に接する輪郭部に第２ダーツ部３４が位置していることが分かる。
前記第２ダーツ部３４は、後身頃３２ｂの該当部位を上に折り込み上げ、外部折り込み線３４ａと内部折り込み線３４ｂとを生成した後、矢印Ｐ方向に折り込み付け、折り込み面３４ｃがカバー面３４ｄの下部に敷かれるようにし、その状態を裁縫を介して固定させてなったものである。
【００２８】
前記外部折り込み線３４ａと内部折り込み線３４ｂとの間角は、ほぼ３０°以下にすることが望ましい。また、前記折り込み面３４ｃは、外部折り込み線３４ａと内部折り込み線３４ｂとの間の領域を意味する。併せて、カバー面３４ｄは、外部折り込み線３４ａを挟んで折り込み面３４ｃの反対側に位置する三角領域である。
【００２９】
また、第１ダーツ部３６も、第２ダーツ部３４と同じ構成を有する。すなわち、第１ダーツ部３６は、外部折り込み線３６ａを挟んで同じ面積の折り込み面３６ｃとカバー面３６ｄとを有し、外部折り込み線３６ａを矢印Ｐ方向に引っ張って内部折り込み線３６ｂが折り込まれるようにし、その状態で縫って固定したものである。
【００３０】
このようなダーツ部の製作方法自体は、洋裁分野で公知の技術である。
いずれにしても、前記の通りに、第１ダーツ部３６、第２ダーツ部３４を形成することによって、後身頃３２ｂに立体感が生じることとなる。
【００３１】
図６は、前記過程を経て完成された第１ダーツ部３６、第２ダーツ部３４を有する後身頃３２ｂを裏返して図示した図面である。
【００３２】
図面を参照すると、前記第１ダーツ部３６、第２ダーツ部３４のために、後身頃３２ｂの（ヒップに接する部位が）図面上で下にくぼみができることが分かる。このように、後身頃３２ｂのヒップに接する部位をジーンズ外側にせり出して立体的に製作することによって、後身頃３２ａ，３２ｂがヒップを図３の矢印ａ方向に押し込まれないようになり、ヒップのボリューム感を低下させないだけではなく、さらにたれ気味のヒップを支えて上げることにもなるのである。
【００３３】
図７は、前記図４に図示したジーンズを着用した様子を表した図面である。図７には、右側の後身頃３２ｂのみ図示されているが、左側の後身頃３２ａも、右側の後身頃３２ｂと同じ形態を取るということは、前述の通りである。
【００３４】
図示されているように、ジーンズ３０の後身頃３２ｂに、第１ダーツ部３６、第２ダーツ部３４を形成することによって、それほどジーンズの後身頃３２ａ，３２ｂが矢印ｚ方向に膨らんで（すでに美しいヒップラインを有した着用者の場合）、ヒップラインを害さないことはもとより、ヒップがたれ気味の着用者であっても、ヒップが前記第１ダーツ部３６、第２ダーツ部３４によりくぼんで形成された部位に入っていくので、体型が自動的に補正され、ヒップ輪郭ラインが魅力的であってセクシーに表れ、バランスの取れた体型を誇れるようになる。
【００３５】
図８は、本発明の一実施例によるジーンズの後姿を図示した図面である。
図示されているように、ジーンズ３０の後身頃３２ａ，３２ｂのヒップが接する部位にダーツ部を設けることによって、後身頃のうち、ほぼＡ領域がそれ自体でもってふっくらと立体化され、ヒップラインをセクシーに演出できる。特に、後身頃の該当部位自体が膨らむので、ポケット２０を設けてもふっくらとしたところがなくならない。
【００３６】
併せて、本実施例では、前記第１ダーツ部３６を一つ、第２ダーツ部３４を一つとしてのみ適用したが、前記ダーツ部の個数は、場合によってどれほどにも変わりうる。例えば、第１ダーツ部３６、第２ダーツ部３４を二つ、三つずつ適用することも可能である。
【産業上の利用可能性】
【００３７】
本発明のジーンズは、例えば、カジュアル服装関連の技術分野に効果的に適用可能である。
【図面の簡単な説明】
【００３８】
【図１】従来の一般的なジーンズを図示した斜視図である。
【図２】図１に図示したジーンズの後身頃を別途に図示した図面である。
【図３】従来のジーンズの問題点を説明するために図示した図面である。
【図４】本発明の一実施例によるジーンズの分解斜視図である。
【図５】図４のジーンズに入る後身頃の構成を説明するために図示した図面である。
【図６】図５に示した後身頃の第１ダーツ部、２ダーツ部を完成した後で裏返しにして図示した斜視図である。
【図７】図４に図示したジーンズを着用した様子を表した図面である。
【図８】本発明の一実施例によるジーンズの後姿を図示した図面である。
【符号の説明】
【００３９】
１０    従来のジーンズ
１２    前身頃
１４    ベルト部
１６ａ，１６ｂ，３２ａ，３２ｂ    後身頃
１８ａ，１８ｂ    連結身頃
２０   ポケット
２２    裁縫線
３０    本発明のジーンズ
３４    第２ダート部
３４ａ    外部折れ込み線
３４ｂ    内部折れ込み線
３４ｃ，３６ｃ    折れ込み面
３４ｄ，３６ｄ    カバー面
３６    第１ダート部
３８    ヨーク線
【図１】
2009121008.tif 000003
【図２】
2009121008.tif 000004
【図３】
2009121008.tif 000005
【図４】
2009121008.tif 000006
【図５】
2009121008.tif 000007
【図６】
2009121008.tif 000008
【図７】
2009121008.tif 000009
【図８】
2009121008.tif 000010